(57)【要約】【課題】大型施設の大規模駐車場であっても、所望の空き駐車スペースを確実に見つけることを可能とする。【解決手段】表示制御手段１１は、駐車場エリアへの新たな車の入場がない場合には、予め設定されている店舗順に従って、店舗情報記憶部１２ｂから任意の店舗の広告情報を取得し、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する。そして、タイマー部１１ｄに第１の一定時間であるＴ１をセットして、第１の一定時間Ｔ１の計測を開始するとともに、取得したこれらの情報、すなわち店舗の広告とその店舗に近い空き駐車スペースの情報とを電子看板２２に表示する。【選択図】図１
2011203782.tif 000002
【特許請求の範囲】
【請求項１】
駐車場エリアと店舗エリアとが併設されている大型施設において、車で来場した客に対し各店舗に近い空き駐車スペースの情報を提供する駐車場管理システムであって、
各店舗の情報を格納した店舗情報格納手段と、
前記駐車場エリア内の空き駐車スペースを検知する空検知手段と、
各店舗から各駐車スペースまでの距離情報を記憶している記憶手段と、
前記駐車場エリアに設置された表示手段と、
前記表示手段の表示制御を行う表示制御手段とを備え、
前記表示制御手段は、前記空検知手段により検知された空き駐車スペースの情報と前記記憶手段に記憶されている距離情報とに基づいて、前記店舗に近い空き駐車スペースの情報を取得し、この取得した空き駐車スペースの情報を駐車位置情報として前記表示手段に表示することを特徴とする駐車場管理システム。
【請求項２】
請求項１に記載の駐車場管理システムであって、
前記表示制御手段は、前記表示手段に表示する各店舗の駐車位置情報を、予め設定された第１の一定時間ごとに順次切り換えて表示することを特徴とする駐車場管理システム。
【請求項３】
請求項２に記載の駐車場管理システムであって、
前記駐車場エリア内への入場を検知する入場検知手段を備え、
前記表示制御手段は、前記入場検知手段により前記駐車場エリア内への車の入場を検知した場合には、前記表示手段への駐車位置情報の表示を、予め設定されている優先店舗の駐車位置情報の表示に切り換えることを特徴とする駐車場管理システム。
【請求項４】
請求項３に記載の駐車場管理システムであって、
前記優先店舗の駐車位置情報の表示時間を、前記第１の一定時間よりも長い第２の一定時間とすることを特徴とする駐車場管理システム。
【請求項５】
請求項３または請求項４に記載の駐車場管理システムであって、
前記表示制御手段は、前記優先店舗の駐車位置情報の表示を終了すると、前記第１の一定時間での駐車位置情報の表示制御に戻すことを特徴とする駐車場管理システム。
【請求項６】
駐車場エリアと店舗エリアとが併設されている大型施設において、車で来場した客に対し所望の店舗に近い空き駐車スペースの情報を提供する駐車場管理システムであって、
各店舗の情報を格納した店舗情報格納手段と、
前記駐車場エリア内の空き駐車スペースを検知する空検知手段と、
各店舗から各駐車スペースまでの距離情報を記憶している記憶手段と、
前記駐車場エリアに設置された店舗選択手段と、
前記駐車場エリアに設置された表示手段と、
前記表示手段の表示制御を行う表示制御手段とを備え、
前記表示制御手段は、前記店舗選択手段から所望の店舗が選択されると、前記空検知手段により検知された空き駐車スペースの情報と前記記憶手段に記憶されている前記選択された店舗の距離情報とに基づいて、前記選択された店舗に近い空き駐車スペースの情報を取得し、この取得した空き駐車スペースの情報を駐車位置情報として前記表示手段に表示することを特徴とする駐車場管理システム。
【請求項７】
請求項２に記載の駐車場管理システムであって、
前記駐車場エリアに設置された店舗選択手段を備え、
前記表示制御手段は、前記店舗選択手段から所望の店舗が選択されると、前記第１の一定時間による駐車位置情報の表示を中止し、前記検知手段により検知された空き駐車スペースの情報と前記記憶手段に記憶されている前記選択された店舗の距離情報とに基づいて、前記選択された店舗に近い空き駐車スペースの情報を取得し、この取得した空き駐車スペースの情報を駐車位置情報として前記表示手段に表示することを特徴とする駐車場管理システム。
【請求項８】
請求項６または請求項７に記載の駐車場管理システムであって、
前記表示制御手段は、前記店舗選択手段から所望の店舗を選択する以外の選択操作が行われたとき、前記第１の一定時間による駐車位置情報の表示を中止し、前記検知手段により検知された空き駐車スペースの情報と前記記憶手段に記憶されている予め設定されている優先店舗の距離情報とに基づいて、予め設定されている優先店舗に近い空き駐車スペースの情報を取得し、この取得した空き駐車スペースの情報を駐車位置情報として前記表示手段に表示することを特徴とする駐車場管理システム。
【請求項９】
請求項６から請求項８までのいずれか１項に記載の駐車場管理システムであって、
前記店舗選択手段は、駐車券の発券装置を兼ねて前記駐車場エリアの入場ゲートに設置されていることを特徴とする駐車場管理システム。
【請求項１０】
請求項７または請求項９に記載の駐車場管理システムであって、
前記選択された店舗の駐車位置情報の表示時間を、前記第１の一定時間よりも長い第２の一定時間とすることを特徴とする駐車場管理システム。
【請求項１１】
請求項８または請求項９に記載の駐車場管理システムであって、
前記優先店舗の駐車位置情報の表示時間を、前記第１の一定時間よりも長い第２の一定時間とすることを特徴とする駐車場管理システム。
【請求項１２】
請求項７から請求項１１までのいずれか１項に記載の駐車場管理システムであって、
前記表示制御手段は、前記選択された店舗の駐車位置情報の表示を終了すると、前記第１の一定時間での駐車位置情報の表示制御に戻すことを特徴とする駐車場管理システム。
【請求項１３】
請求項８から請求項１１までのいずれか１項に記載の駐車場管理システムであって、
前記表示制御手段は、前記優先店舗の駐車位置情報の表示を終了すると、前記第１の一定時間での駐車位置情報の表示制御に戻すことを特徴とする駐車場管理システム。
【請求項１４】
請求項１から請求項１３までのいずれか１項に記載の駐車場管理システムであって、
前記表示手段が電子看板であることを特徴とする駐車場管理システム。
【請求項１５】
請求項１から請求項１４までのいずれか１項に記載の駐車場管理システムであって、
前記表示手段の表示には、前記駐車位置情報とともに当該店舗の広告情報が含まれることを特徴とする駐車場管理システム。
【請求項１６】
請求項１から請求項１５までのいずれか１項に記載の駐車場管理システムであって、
前記駐車位置情報の表示は、店舗に一番近い１つの空き駐車スペースのみを表示することを特徴とする駐車場管理システム。
【請求項１７】
請求項１から請求項１５までのいずれか１項に記載の駐車場管理システムであって、
前記駐車位置情報の表示は、店舗に一番近い１つの空き駐車スペースを含むその周辺にある１または複数の他の空き駐車スペースも併せて表示することを特徴とする駐車場管理システム。
【請求項１８】
請求項１から請求項１７までのいずれか１項に記載の駐車場管理システムであって、
前記駐車位置情報の表示は、駐車場エリアのマップを表示し、そのマップの中の該当する空き駐車スペースの位置にマーキングを施すことで表示することを特徴とする駐車場管理システム。
【請求項１９】
請求項１７に記載の駐車場管理システムであって、
前記駐車位置情報の表示は、駐車場エリアのマップを表示し、そのマップの中の該当する空き駐車スペースの位置にマーキングを施すとともに、店舗に一番近い１つの空き駐車スペースと、その他の空き駐車スペースとで異なるマーキングを施すことを特徴とする特徴とする駐車場管理システム。
【発明の詳細な説明】
【技術分野】
【０００１】
本発明は、駐車場エリアと店舗エリアとが併設されている大型施設において、車で来場した客に対し所望の店舗に近い空き駐車スペースの情報を提供することのできる駐車場管理システムに関する。
【背景技術】
【０００２】
大規模な駐車場エリアと店舗エリアとが併設されている大規模ショッピングセンターのような大型施設では、そこに出店している店舗は、駐車場エリア内に専用の駐車スペースを確保していないのが一般的である。
【０００３】
従って、この大型施設に車で訪れた客は、駐車場エリアに入場後、自己の判断に従って駐車場エリア内の空いている駐車スペースを探すことになるが、駐車場全体が見渡せないほど広い場合には、駐車場エリア内のどの区画が比較的空いているのかといったことが分からない。そのため、車で訪れた客は、個人の勘に頼って駐車スペースを探しているのが現状である。また、このような大型施設では、駐車場エリアを複数の区画に区切り、区画ごとに「空」と「満」を表示するといった簡易な表示方法が採用されている場合が多い。また、各駐車スペースに「空」と「駐」を示す表示灯を設け、その表示灯の色を変えることで、少し離れたところからでも、空き駐車スペースを見つけることができるようになっている施設もある。
【０００４】
しかし、このように簡易な表示を行うだけでは、大型施設を訪れた客に対して十分な利便性を配慮したとは言えない。
【０００５】
そこで、施設を訪れた客の利便性を考慮した駐車場管理システムが提案されている（例えば、特許文献１，２等参照）。
【０００６】
特許文献１には、駐車場の管理をなす事業者サーバ装置において、駐車場内の駐車エリアごとの利用状況を格納した駐車場情報データベースと、ユーザの駐車エリアに関する希望情報を予め格納したユーザ情報データベースと、店舗に関する情報を予め格納した店舗情報データベースとを設けておき、ユーザの車が駐車場へ入庫したとき、当該ユーザのユーザ情報データベース内の希望情報と、駐車場情報データベース内の利用状況とから、駐車エリア（駐車スペース）を選択して、この駐車スペース情報をユーザ端末へ送信すること、また、ユーザの車が当該駐車スペースに駐車した場合に、この駐車スペースに近い店舗に関する情報を、店舗情報データベースから読み出してユーザ端末へ送信する駐車場管理システムが開示されている。
【０００７】
また、特許文献２には、駐車施設への主要な入口に設置され、駐車施設内の空き駐車スペースの位置情報を提供する第１ディスプレイと、 駐車施設の特定の区域に設置され、特定の区域における空き駐車スペースの位置情報を提供する複数の第２ディスプレイと、 駐車施設内の複数の位置に設置された複数の第３ディスプレイとを有し、各ディスプレイに応じて、駐車スペースの空き状況の情報を棒グラフで表示したり、通路に連通する各駐車スペースにそれぞれ対応する表示器を緑色または赤色にすることによって空き状況を表示する駐車場管理システムが開示されている。
【先行技術文献】
【特許文献】
【０００８】
【特許文献１】特開２００６−１０７１４７号公報
【特許文献２】特表２００３−５０３７８１号公報
【発明の概要】
【発明が解決しようとする課題】
【０００９】
特許文献１記載の駐車場管理システムによれば、駐車エリアの中で、どこに空き駐車スペースがあるのかを、ユーザ端末に送信されてきた駐車スペース情報を見ることで確認することができる。また、ユーザが任意の駐車スペースに駐車した場合に、その駐車スペースに近い店舗の情報がユーザ端末に送信されることで、ユーザは、通常利用店舗の近傍の空き駐車スペースの情報または駐車した場所から近い店舗の情報を入手することが可能である。
【００１０】
ところで、客（ユーザ）が、大規模な駐車場エリアと店舗エリアとが併設されている大規模ショッピングセンターのような大型施設に、ある特定の店舗に行くことを目的としてやって来る場合、通常利用している店舗であれば、店舗の位置は知っているので、駐車場に入ってから通常利用の店舗の方に車を向けて移動して、通常利用の店舗に近い空き駐車スペースを探すことも可能である。しかし、施設に来る目的は様々であり、通常利用店舗以外の店舗（あまり利用していない店舗または全く利用していなかった店舗）に行くことを目的としてやって来る場合、複数の店舗に行くことを目的としてやって来る場合、衣服や食料品等の買い物のカテゴリーのみを決めてくる場合もある。そして、これらいずれの場合でも、目的の店舗に一番近い空き駐車スペースに駐車したいと考えるのが普通である。
【００１１】
しかし、特許文献１記載の駐車場管理システムでは、目的としている店舗が１店舗だけであれば、「店舗に一番近い空き駐車スペースに駐車したい」というユーザの要望に対して情報を提供することができるものの、それ以外の場合には、適切に店舗近傍の空き駐車スペースの情報を提供できないといった問題があった。
【００１２】
また、特許文献１記載の駐車場管理システムでは、車で施設に訪れる客に、空き駐車スペースの情報を受信するためのユーザ端末を所持させる必要があるため、汎用性に欠けるといった問題もあった。また、特許文献１記載の駐車場管理システムでは、駐車場に向かう途中に、目的の店舗を変更した場合に、運転中に登録変更を行わなければならず、ユーザの置かれた種々の状況に的確に対応しつつ且つ安全に情報を提供することができないといった問題もあった。
【００１３】
また、特許文献２記載の駐車場管理システムによれば、駐車場の駐車位置情報がグラフィカルに表示されるため、客は、空き駐車スペースの状況を、駐車場エリア全体から容易に把握できるようになっている。しかし、それはあくまで空き駐車スペースの状況が容易に把握できるだけであり、上記したように、客がある店舗に行くことを目的として大型施設にやってきた場合には、客の所望する情報（すなわち、目的の店舗に近い空き駐車スペースの情報）を入手することができないといった問題があった。
【００１４】
そのため、客は、目的の店舗にできるだけ近い空き駐車スペースを求めて、駐車場エリア内を移動することになる。この場合、目的の店舗の近くで空き駐車スペースを発見しても、目的の店舗からはまだ少し離れていると客が判断した場合には、もう少し店舗に近い場所に空き駐車スペースがあるのではないかと考えて、その空き駐車スペースには駐車せず、そこを通過してしまう場合がある。そして、さらに目的の店舗に近い場所まで移動しても、その付近の駐車スペースが満杯状態であった場合には、再び別のエリアに移動して空き駐車スペースを探すことになり、結局は目的の店舗から遠い駐車スペースに駐車してしまう場合が多い。また、駐車場エリア内を一周して最初に見つけていた空き駐車スペースのところまで戻ってきたときには、すでに別の車が駐車しているため、さらに駐車場エリア内を巡回し、結局、空き駐車スペースを見つけるのに時間がかかってしまうといった問題もあった。
【００１５】
本発明はかかる問題点を解決すべく創案されたものであり、その目的は、大型施設の大規模駐車場であっても、車で来場してきた客が、所望の空き駐車スペースを確実に見つけることのできる駐車場管理システムを提供することにある。
【課題を解決するための手段】
【００１６】
上記課題を解決するため、本発明の駐車場管理システムは、駐車場エリアと店舗エリアとが併設されている大型施設において、車で来場した客に対し所望の店舗に近い空き駐車スペースの情報を提供する駐車場管理システムであって、各店舗の情報を格納した店舗情報格納手段と、前記駐車場エリア内の空き駐車スペースを検知する空検知手段と、各店舗から各駐車スペースまでの距離情報を記憶している記憶手段と、前記駐車場エリアに設置された表示手段と、前記表示手段の表示制御を行う表示制御手段とを備え、前記表示制御手段は、前記空検知手段により検知された空き駐車スペースの情報と前記記憶手段に記憶されている前記店舗の距離情報とに基づいて、前記店舗に近い空き駐車スペースの情報を取得し、この取得した空き駐車スペースの情報を駐車位置情報として前記表示手段に表示することを特徴としている。
【００１７】
このような特徴を有する本発明によれば、各店舗に近い空き駐車スペースの情報を駐車位置情報として表示することで、駐車場エリア内に車で入場した客は、表示手段に表示されている店舗に行きたい場合には、その店舗に近い空き駐車スペースが表示されているので、その空き駐車スペースまで、迷うことなくスムーズに行くことができる。従って、車に乗っている客は、所望の店舗に近い空き駐車スペースを探して駐車場エリア内を探し回るといった、無駄な時間を省くことができる。また、システム管理者側にとっても、駐車場エリア内での車のスムーズな誘導が可能となり、効率的な駐車場管理を行うことができる。
【００１８】
また、本発明によれば、前記表示制御手段は、前記表示手段に表示する各店舗の駐車位置情報を、予め設定された第１の一定時間ごとに順次切り換えて表示する構成とすることができる。
【００１９】
このような構成とすれば、表示手段に表示する各店舗の空き駐車スペースの情報である駐車位置情報を、予め設定された第１の一定時間の間隔で順次切り換えて表示することで、出店している全ての店舗の情報を均等に表示することができる。また、入場ゲートを通って駐車場エリア内に車で入場してきた客も、各店舗の駐車位置情報が第１の一定時間の間隔で順次表示されているので、所望する店舗の空き駐車スペースの情報もいずれは表示され、その表示タイミングが合えば、所望の店舗に近い空き駐車スペースに、迷うことなくスムーズに行くことが可能となる。
【００２０】
また、本発明によれば、前記駐車場エリア内への入場を検知する入場検知手段をさらに備え、前記表示制御手段は、前記入場検知手段により前記駐車場エリア内への車の入場を検知した場合には、前記表示手段への駐車位置情報の表示を、予め設定されている優先店舗の駐車位置情報の表示に切り換える構成とすることができる。
【００２１】
このような構成とすれば、駐車場エリア内への車の入場を検知したときに、前記表示手段への表示を優先店舗の駐車位置情報に切り換えることで、優先店舗の情報をタイミングよく表示できるので、優先店舗の広告宣伝効果を高めることができる。
【００２２】
また、本発明によれば、前記優先店舗の駐車位置情報の表示時間を、前記第１の一定時間よりも長い第２の一定時間としてもよい。
【００２３】
このような構成とすれば、優先店舗の駐車位置情報の表示時間を、優先契約をしていない一般店舗の駐車位置情報の表示時間よりも長い時間とすることで、優先店舗の情報が客の目に触れる機会が多くなり、より広告宣伝効果を高めることが可能となる。
【００２４】
また、本発明によれば、前記表示制御手段は、前記優先店舗の駐車位置情報の表示を終了すると、前記第１の一定時間での駐車位置情報の表示制御に戻す構成とすることができる。
【００２５】
このような構成とすれば、一般店舗による第１の一定時間での表示の繰り返しと、優先店舗による第２の一定時間での表示とを連携させることで、表示手段に常に何処かの店舗の駐車位置情報を表示させておくことができる。これにより、各店舗の広告宣伝効果を期待することができる。
【００２６】
また、本発明の駐車場管理システムは、駐車場エリアと店舗エリアとが併設されている大型施設において、車で来場した客に対し所望の店舗に近い空き駐車スペースの情報を提供する駐車場管理システムであって、各店舗の情報を格納した店舗情報格納手段と、前記駐車場エリア内の空き駐車スペースを検知する空検知手段と、各店舗から各駐車スペースまでの距離情報を記憶している記憶手段と、前記駐車場エリアに設置された店舗選択手段と、前記駐車場エリアに設置された表示手段と、前記表示手段の表示制御を行う表示制御手段とを備え、前記表示制御手段は、前記店舗選択手段から所望の店舗が選択されると、前記空検知手段により検知された空き駐車スペースの情報と前記記憶手段に記憶されている前記選択された店舗の距離情報とに基づいて、前記選択された店舗に近い空き駐車スペースの情報を取得し、この取得した空き駐車スペースの情報を駐車位置情報として前記表示手段に表示することを特徴としている。
【００２７】
このような特徴を有する本発明によれば、車で来場した客が、入力ゲート等に設置された店舗選択手段を操作して所望の店舗を選択すると、この選択されて店舗情報を受けた表示制御手段は、検知手段により検知された空き駐車スペースの情報と記憶手段に記憶されている選択された店舗の距離情報とに基づいて、選択された店舗に近い空き駐車スペースの情報を取得し、この取得した空き駐車スペースの情報を駐車位置情報として表示手段に表示する。これにより、入場ゲートを通過した車の近傍に設置された表示手段に、所望の店舗（すなわち、目的の店舗）に近い空き駐車スペースの情報が表示されるので、この表示を見た車に乗っている客は、その空き駐車スペースまで、迷うことなくスムーズに移動して駐車することができる。すなわち、所望の店舗（目的の店舗）に近い空き駐車スペースに駐車することができる。従って、車に乗っている客は、所望の店舗に近い空き駐車スペースを探して駐車場エリア内を探し回るといった、無駄な時間を省くことができる。また、システム管理者側にとっても、駐車場エリア内での車のスムーズな誘導が可能となり、効率的な駐車場管理を行うことができる。
【００２８】
また、本発明の駐車場管理システムは、駐車場エリアと店舗エリアとが併設されている大型施設において、車で来場した客に対し所望の店舗に近い空き駐車スペースの情報を提供する駐車場管理システムであって、各店舗の情報を格納した店舗情報格納手段と、前記駐車場エリア内の空き駐車スペースを検知する空検知手段と、各店舗から各駐車スペースまでの距離情報を記憶している記憶手段と、前記駐車場エリアに設置された店舗情報を表示する表示手段と、前記駐車場エリアに設置された店舗選択手段と、前記表示手段の表示制御を行う表示制御手段とを備え、前記表示制御手段は、前記表示手段に表示する駐車位置情報を、予め設定された第１の一定時間ごとに順次切り換えて表示するとともに、前記店舗選択手段から所望の店舗が選択されると、前記第１の一定時間による駐車位置情報の表示を中止し、前記検知手段により検知された空き駐車スペースの情報と前記記憶手段に記憶されている前記選択された店舗の距離情報とに基づいて、前記選択された店舗に近い空き駐車スペースの情報を取得し、この取得した空き駐車スペースの情報を駐車位置情報として前記表示手段に表示することを特徴としている。
【００２９】
このような特徴を有する本発明によれば、店舗選択手段から所望の店舗が選択されると、前記表示手段への表示を、それまでの一般店舗の駐車位置情報の表示から、選択された店舗の駐車位置情報の表示に切り換えることで、所望の店舗に行くことを目的としてやってきた客に対して、最適なタイミングで、選択した店舗の空き駐車スペースの情報を提供することができる。従って、この表示を見た車に乗っている客は、その空き駐車スペースまで、迷うことなくスムーズに車を移動して駐車することができる。すなわち、所望の店舗（目的の店舗）に近い空き駐車スペースに駐車することができる。
【００３０】
また、本発明の駐車場管理システムは、駐車場エリアと店舗エリアとが併設されている大型施設において、車で来場した客に対し所望の店舗に近い空き駐車スペースの情報を提供する駐車場管理システムであって、各店舗の情報を格納した店舗情報格納手段と、前記駐車場エリア内の空き駐車スペースを検知する空検知手段と、各店舗から各駐車スペースまでの距離情報を記憶している記憶手段と、前記駐車場エリアに設置された店舗情報を表示する表示手段と、前記駐車場エリアに設置された店舗選択手段と、前記表示手段の表示制御を行う表示制御手段とを備え、前記表示制御手段は、前記店舗選択手段から所望の店舗を選択する以外の選択操作が行われたとき、前記第１の一定時間による駐車位置情報の表示を中止し、前記検知手段により検知された空き駐車スペースの情報と前記記憶手段に記憶されている予め設定されている優先店舗の距離情報とに基づいて、予め設定されている優先店舗に近い空き駐車スペースの情報を取得し、この取得した空き駐車スペースの情報を駐車位置情報として前記表示手段に表示することを特徴としている。
【００３１】
このような特徴を有する本発明によれば、店舗選択手段から所望の店舗を選択する以外の選択操作がされたときに、表示手段への表示を優先店舗の駐車位置情報の表示に切り換えることで、優先店舗の情報をタイミングよく表示できる。
【００３２】
また、本発明によれば、前記店舗選択手段は、駐車券の発券装置を兼ねて前記駐車場エリアの入場ゲートに設置された構成とすることができる。
【００３３】
大規模商業施設では、集客を図るべく、例えば最初の２時間を無料とし、その後、１時間を経過するたびに駐車料金を課金していく、といったシステムをとっているところが多い。そのため、入場ゲートに発券装置を設置し、車で来場した客は、入場ゲートで一旦停止し、発券ボタンを押すことで発券された駐車券を持って施設内に入場することになる。そこで、本発明ではこの点に着目し、発券装置を兼ねた店舗選択手段を入場ゲートに設置し、車で来場した客が、入場ゲートで店舗選択手段から一つの店舗を選択することで、併せて駐車券の発券も行う構成としている。これにより、車で来場した客は、従来の発券装置による駐車券の発券操作と何ら変わらない操作で、駐車券の発券に加え、所望する店舗に近い空き駐車スペースの情報も入手することが可能となる。
【００３４】
また、本発明によれば、前記選択された店舗の駐車位置情報の表示時間を、前記第１の一定時間よりも長い第２の一定時間としてもよい。
【００３５】
このような構成とすれば、選択された店舗の駐車位置情報の表示時間を、一般店舗の駐車位置情報の表示時間よりも長い時間とすることで、車で来場した客は、選択した店舗の駐車位置情報をゆっくり確認することができる。
【００３６】
また、本発明によれば、前記優先店舗の駐車位置情報の表示時間を、前記第１の一定時間よりも長い第２の一定時間としてもよい。
【００３７】
このような構成とすれば、優先店舗の駐車位置情報の表示時間を、一般店舗の駐車位置情報の表示時間よりも長い時間とすることで、車で来場した客は、優先店舗のあき情報をゆっくり確認することができる。
【００３８】
また、本発明によれば、前記表示制御手段は、前記選択された店舗の駐車位置情報の表示を終了すると、前記第１の一定時間での駐車位置情報の表示制御に戻す構成とすることができる。このような構成とすれば、一般店舗による第１の一定時間での表示の繰り返しと、不定期に選択される選択店舗による第２の一定時間での表示とを連携させることで、表示手段に常に何処かの店舗の駐車位置情報を表示させておくことができる。これにより、各店舗の広告宣伝効果を期待することができる。
【００３９】
また、本発明によれば、前記表示制御手段は、前記優先店舗の駐車位置情報の表示を終了すると、前記第１の一定時間での駐車位置情報の表示制御に戻す構成とすることができる。このような構成とすれば、一般店舗による第１の一定時間での表示の繰り返しと、不定期に選択される優先店舗による第２の一定時間での表示とを連携させることで、表示手段に常に何処かの店舗の駐車位置情報を表示させておくことができる。これにより、各店舗の広告宣伝効果を期待することができる。
【００４０】
また、本発明によれば、前記表示手段を電子看板とすることができる。表示手段を電子看板とすることで、表示内容を大画面で明確に表示することができるため、客にとっても、表示された空き駐車スペースの位置を容易に確認することが可能となる。
【００４１】
また、本発明によれば、前記表示手段の表示には、前記駐車位置情報とともに当該店舗の広告情報が含まれる構成とすることができる。このような構成とすれば、所望の店舗に近い空き駐車スペースの表示とともに、当該店舗の広告情報も表示することで、広告効果をより高めることができる。
【００４２】
また、本発明によれば、前記駐車位置情報の表示は、店舗に一番近い１つの空き駐車スペースのみを表示する構成とすることができる。このような構成とすれば、店舗に一番近い１つの空き駐車スペースのみを表示することで、この表示を見た車に乗っている客は、その空き駐車スペースまで、迷うことなくスムーズに行くことができる。
【００４３】
また、本発明によれば、前記駐車位置情報の表示は、店舗に一番近い１つの空き駐車スペースを含むその周辺にある１または複数の他の空き駐車スペースも併せて表示する構成とすることができる。このような構成とすれば、所望する店舗に一番近い１つの空き駐車スペースを含むその周辺にある１または複数の他の空き駐車スペースも併せて表示することで、例えば、一番近い空き駐車スペースに別の車が止められていた場合でも、焦ることなく、その周辺の別の空き駐車スペースに車を止めることができる。
【００４４】
また、本発明によれば、前記駐車位置情報の表示は、駐車場エリアのマップを表示し、そのマップの中の該当する空き駐車スペースの位置にマーキングを施すことで表示する構成とすることができる。このような構成とすれば、所望の店舗に近い空き駐車スペースの表示を、駐車場エリアのマップ上の該当する空き駐車スペースの位置にマーキングを施すことによって表示するので、車で来場した客にとっては、空き駐車スペースの位置がイメージとして捕らえ易くなるため、その空き駐車スペースまで迷うことなくスムーズに行くことが可能となる。
【００４５】
また、本発明によれば、前記駐車位置情報の表示は、駐車場エリアのマップを表示し、そのマップの中の該当する空き駐車スペースの位置にマーキングを施すとともに、店舗に一番近い１つの空き駐車スペースと、その他の空き駐車スペースとで異なるマーキングを施す構成とすることができる。このような構成とすれば、店舗に一番近い１つの空き駐車スペースを例えば赤色表示とし、その他の空き駐車スペースを例えば緑色表示とすることで、車で入場した客は、店舗に一番近い１つの空き駐車スペースと、その他の空き駐車スペースとを明確に区別して認識することができる。従って、所望の店舗に近い空き駐車スペースが複数表示されていても、一番近い空き駐車スペースに、迷うことなくスムーズに行くことができる。
【発明の効果】
【００４６】
本発明によれば、各店舗に近い空き駐車スペースの情報を表示手段に表示することで、駐車場エリア内に車で入場した客は、表示手段に表示されている店舗に行きたい場合には、その店舗に近い空き駐車スペースが表示されているので、その空き駐車スペースまで、迷うことなくスムーズに行くことができる。従って、車に乗っている客は、所望の店舗に近い空き駐車スペースを探して駐車場エリア内を探し回るといった、無駄な時間を省くことができる。また、システム管理者側にとっても、駐車場エリア内での車のスムーズな誘導が可能となり、効率的な駐車場管理を行うことができる。
【００４７】
また、本発明によれば、車で来場した客が、入力ゲート等に設置された店舗選択手段を操作して所望の店舗を選択すると、この選択された店舗情報を受けた表示制御手段は、検知手段により検知された空き駐車スペースの情報と記憶手段に記憶されている選択された店舗の距離情報とに基づいて、選択された店舗に近い空き駐車スペースの情報を取得し、この取得した空き駐車スペースの情報を表示手段に表示する。これにより、入場ゲートを通過した車の近傍に設置された表示手段に、所望の店舗（すなわち、目的の店舗）に近い空き駐車スペースの情報が表示されるので、この表示を見た車に乗っている客は、その空き駐車スペースまで、迷うことなくスムーズに移動して駐車することができる。すなわち、所望の店舗（目的の店舗）に近い空き駐車スペースに駐車することができる。従って、車に乗っている客は、所望の店舗に近い空き駐車スペースを探して駐車場エリア内を探し回るといった、無駄な時間を省くことができる。また、システム管理者側にとっても、駐車場エリア内での車のスムーズな誘導が可能となり、効率的な駐車場管理を行うことができる。
【図面の簡単な説明】
【００４８】
【図１】本発明の駐車場管理システムの実施形態１に係る全体構成図である。
【図２】実施形態１に係る駐車場管理システムが適用される大型施設の概略構成を示す説明図である。
【図３】ＨＤＤの店舗情報記憶部に記憶されている距離情報のデータ構成例を示す説明図である。
【図４】実施形態１に係る駐車場管理システムによる空き駐車スペースの表示動作を示すフローチャートである。
【図５】店舗の広告とその店舗に近い空き駐車スペースの情報とを電子看板に表示するときの表示形態の一例を示す説明図である。
【図６】店舗の広告とその店舗に近い空き駐車スペースの情報とを電子看板に表示するときの表示形態の他の例を示す説明図である。
【図７】本発明の駐車場管理システムの実施形態２に係る全体構成図である。
【図８】実施形態２に係る駐車場管理システムが適用される大型施設の概略構成を示す説明図である。
【図９】入場ゲートの横に設置された店舗選択手段の構成例を示す説明図である。
【図１０】実施形態２に係る駐車場管理システムによる空き駐車スペースの表示動作を示すフローチャートである。
【図１１】実施形態３に係る駐車場管理システムによる空き駐車スペースの表示動作を示すフローチャートである。
【発明を実施するための形態】
【００４９】
以下、本発明の実施の形態について、図面を参照して説明する。
【００５０】
＜実施形態１＞
図１は、本発明の駐車場管理システムの実施形態１に係る全体構成図であり、図２は、この駐車場管理システムが適用される大型施設の概略構成を示す説明図である。
【００５１】
図２において、この大型施設１００は、例えば１０００台以上の駐車スペース（ここでいう駐車スペースとは、一般的に白線で長方形に区切られた車１台分を止めることのできるスペースのことである）１１０を備えた駐車場エリアＰＥと、数十から数百程度の店舗２００の出店が可能な店舗エリアＳＥとが併設されている大型施設であって、駐車場エリアＰＥには、道路に面して例えば３箇所に出入り口１０１〜１０３が設けられている。また、この例では、駐車場エリアＰＥと店舗エリアＳＥとの間を行き来するための通路２０１〜２０５が５箇所に設けられている。
【００５２】
実施形態１の駐車場管理システムは、このような大型施設１００において、車で来場した客に対し所望の店舗２００に近い空き駐車スペース１１０の情報を提供するシステムであって、図１に示すように、システム全体を管理する管理サーバ１と、駐車場エリアＰＥに設置された表示手段２と、駐車場エリアＰＥ内の空き駐車スペース１１０を検知する空検知手段３と、駐車場エリアＰＥの各出入り口１０１〜１０３に設置された駐車場エリアＰＥ内への入場を検知する入場検知部４とを備えて構成されている。
【００５３】
管理サーバ１は、表示手段２の表示制御を行う表示制御手段１１と、各店舗２００の情報や、各店舗２００から各駐車スペース１１０までの距離情報を記憶している記憶手段であるＨＤＤ（Hard Disk Drive）１２とを備えている。表示制御手段１１は、システム全体の制御を司るＣＰＵ（Central Processing Unit）１１ａ、ＣＰＵ１１ａにより実行される各種のプログラム等を記憶したＲＯＭ（Read Only Memory）１１ｂ、及びＣＰＵ１１ａのワークエリアとして用いられるＲＡＭ（Random Access Memory）１１ｃ、及び後述する一定時間を計測するタイマー部１１ｄによって構成されている。
【００５４】
表示手段２は、例えば大型液晶ディスプレイ等からなる電子看板２２と、ＣＰＵ１１ａからの制御により電子看板２２の表示制御を行う表示制御部２１とを備えており、電子看板２２は、駐車場エリアＰＥの各出入り口１０１〜１０３の近傍であって、車で入場する客にとって一番見やすい位置に設置されている。具体的には、図２に示すように、電子看板２２は、本来であれば、出入り口１０１〜１０３の正面（すなわち、入場後、直進してくる車の正面）に設置するのがよいが、駐車場エリアＰＥの敷地構造上そのような位置に設置できない場合（例えば、出入り口１０３のような場所の場合）には、車の進路を妨げないで、かつ、車に乗っている客にとって見やすい位置を考慮して設置すればよい。
【００５５】
空検知手段３は、駐車場エリアＰＥの各駐車スペース１１０にそれぞれ設置された車の駐車の有無を検知する検知センサ３１と、これら検知センサ３１の検知結果に基づいて空き駐車スペースの有無をリアルタイムに判定する空き判定部３１とを備えている。
【００５６】
また、管理サーバ１のＨＤＤ１２は、空検知手段３の空き判定部３１で判定される空き駐車スペースの情報を、随時、最新の情報に更新しながら記憶する空き駐車スペース情報記憶部１２ａと、電子看板２２に表示するための各店舗の広告情報や、各店舗から駐車場エリアＰＥの各駐車スペース１１０までの距離情報を記憶している店舗情報記憶部１２ｂとを備えている。
【００５７】
図３は、ＨＤＤ１２の店舗情報記憶部１２ｂに記憶されている距離情報のデータ構成例を示している。
【００５８】
すなわち、店舗情報記憶部１２ｂに記憶されている距離情報は、具体的には、ある店舗２００から各駐車スペース１１０までの最短距離を、実際に人が歩いて移動する場合の経路をたどってそれぞれ計算し、その計算結果に基づいて、移動距離の短い順に１番から順番に各駐車スペース１１０の駐車番号（駐車ＩＤ）を列記した情報となっており、このような情報が各店舗２００ごとに記憶されている。すなわち、距離情報は、各店舗２００の店舗ＩＤ（Ｓ０００１，Ｓ０００２，・・・，Ｐ０１０ｎ，・・・）と、移動距離の短い順に１番から順番に列記された各駐車スペース１１０の駐車ＩＤ（Ｐ０００１，Ｐ０００２，・・・Ｐ１００ｎ，・・・）とが、１レコードで記録された情報となっている。図３に示す例では、例えば店舗ＩＤ（Ｓ０００１）は、移動距離の短い順として、Ｐ００２１，Ｐ００１１，Ｐ００２２，Ｐ００１２，Ｐ００３１，Ｐ０００１，・・・、の順に駐車ＩＤが列記されている。すなわち、図２に示すように、店舗ＩＤ（Ｓ０００１）の店舗２００に一番近い駐車スペースは、駐車ＩＤ（Ｐ００２１）の駐車スペースであり、その次に近い駐車スペースは、駐車ＩＤ（Ｐ００１１）の駐車スペースであることを示している。
【００５９】
上記構成において、表示制御手段１１は、空検知手段３の各検知センサ３２により検知され、空き判定部３１によって判定された空き駐車スペースの情報と、ＨＤＤ１２の店舗情報記憶部１２ｂに記憶されている図３に示す各店舗の距離情報とに基づいて、店舗に近い空き駐車スペースの情報を駐車位置情報として電子看板２２に表示するようになっている。
【００６０】
具体的に説明すると、例えば、図２に示す駐車ＩＤ（Ｐ０００１）から駐車ＩＤ（Ｐ００２１）までが全て駐車、駐車ＩＤ（Ｐ００２２）が空き駐車スペース、駐車ＩＤ（Ｐ００２３）から駐車ＩＤ（Ｐ００４０）までが全て駐車という状態であったとすると、ＨＤＤ１２の空き駐車スペース記憶部１２ａには、駐車ＩＤが（Ｐ０００１）から（Ｐ００４０）までを見た場合、駐車ＩＤ（Ｐ００２２）のみが空き駐車スペースとして記憶されていることになる。この状態において、例えば店舗ＩＤ（Ｓ０００１）に一番近い空き駐車スペースを検索する場合、表示制御手段１１は、図３から店舗ＩＤ（Ｓ０００１）に１番目に近い駐車スペースである駐車ＩＤ（Ｐ００２１）をまず取得し、この駐車ＩＤ（Ｐ００２１）が空き駐車スペース記憶部１２ａに記憶されているか否かを判断する。この場合、駐車ＩＤ（Ｐ００２１）は空き駐車スペース記憶部１２ａに記憶されていないので、表示制御手段１１は、次に、図３から店舗ＩＤ（Ｓ０００１）に２番目に近い駐車スペースである駐車ＩＤ（Ｐ００１１）を取得し、この駐車ＩＤ（Ｐ００１１）が空き駐車スペース記憶部１２ａに記憶されているか否かを判断する。この場合も、駐車ＩＤ（Ｐ００１１）は空き駐車スペース記憶部１２ａに記憶されていないので、表示制御手段１１は、次に、図３から店舗ＩＤ（Ｓ０００１）に３番目近い駐車スペースである駐車ＩＤ（Ｐ００２２）を取得し、この駐車ＩＤ（Ｐ００２２）が空き駐車スペース記憶部１２ａに記憶されているか否かを判断する。その結果、この場合は、駐車ＩＤ（Ｐ００２２）が空き駐車スペース記憶部１２ａに記憶されているので、この駐車ＩＤ（Ｐ００２２）の空き駐車スペース１１０を、現時点で店舗ＩＤ（Ｓ０００１）の店舗２００に一番近い空き駐車スペースであると判定し、この判定した駐車ＩＤ（Ｐ００２２）の空き駐車スペース１１０を、店舗に一番近い空き駐車スペースとして電子看板２２に表示する。
【００６１】
このような構成とすれば、駐車場エリアＰＥ内に車で入場した客は、電子看板２２に表示されている店舗に行きたい場合には、その店舗に近い空き駐車スペースが表示されているので、その空き駐車スペースまで、迷うことなくスムーズに行くことができる。従って、車に乗っている客は、所望の店舗に近い空き駐車スペースを探して駐車場エリアＰＥ内を探し回るといった、無駄な時間を省くことができる。また、システム管理者側にとっても、駐車場エリアＰＥ内での車のスムーズな誘導が可能となり、効率的な駐車場管理を行うことができる。
【００６２】
ここで、実施形態１では、表示制御手段１１は、電子看板２２に表示する駐車位置情報を、予め設定された第１の一定時間Ｔ１（例えば、５秒等）の間隔で順次切り換えて表示する構成としている。
【００６３】
このような構成とすれば、電子看板２２に表示する空き駐車スペースの情報（駐車位置情報）を、予め設定された第１の一定時間Ｔ１の間隔で順次切り換えて表示することで、出店している全ての店舗の情報を均等に表示することができる。これにより、出入り口１０１〜１０３を通って駐車場エリアＰＥ内の空き駐車スペースに駐車した客や車から降りた客に対して、客の目的とする店舗以外の店舗に関する広告及び各店舗の店舗情報が、第１の一定時間Ｔ１の間隔で順次表示されているので、所望する店舗の空き駐車スペースの情報もいずれは表示され、その表示タイミングが合えば、所望の店舗に近い空き駐車スペースに、迷うことなくスムーズに行くことが可能となる。
【００６４】
また、実施形態１では、表示制御手段１１は、入場検知部４により駐車場エリアＰＥ内への車の入場を検知した場合には、電子看板２２への駐車位置情報の表示を、予め設定されている優先店舗の駐車位置情報の表示に切り換える構成としている。ここで、優先店舗とは、大型施設を運営管理している管理者との間で、電子看板２２の広告表示を優先的に行うことを別途契約している店舗のことである。
【００６５】
このような構成とすれば、駐車場エリアＰＥ内への車の入場を検知したときに、電子看板２２への表示を優先店舗の駐車位置情報に切り換えることで、優先店舗の情報をタイミングよく表示できるため、優先店舗の広告宣伝効果を高めることができる。
【００６６】
この場合、実施形態１では、優先店舗の駐車位置情報の表示時間を、優先契約をしていない一般店舗の店舗情報の表示時間である第１の一定時間Ｔ１よりも長い第２の一定時間Ｔ２（例えば、１０秒等）としている。このような構成とすれば、優先店舗の情報が客の目に触れる機会が多くなり、優先店舗の広告宣伝効果をより高めることが可能となる。
【００６７】
また、実施形態１では、表示制御手段１１は、優先店舗の駐車位置情報の表示を終了すると、第１の一定時間Ｔ１での一般店舗による駐車位置情報の表示制御に戻す構成としている。このような構成とすれば、一般店舗による第１の一定時間Ｔ１での表示の繰り返しと、不定期に発生する優先店舗による第２の一定時間Ｔ２での表示とを連携させることができ、電子看板２２に常に何処かの店舗の駐車位置情報を表示させておくことができる。これにより、各店舗の広告宣伝効果を期待することができる。
【００６８】
次に、上記で説明した実施形態１に係る駐車場管理システムによる空き駐車スペースの表示動作について、図４に示すフローチャートを参照して具体的に説明する。
【００６９】
表示制御手段１１は、駐車場エリアＰＥへの新たな車の入場がない場合には、予め設定されている店舗順に従って、店舗情報記憶部１２ｂから任意の店舗の広告情報を取得し（ステップＳ１１）、次に、空き駐車スペース情報記憶部１２ａから取得した空き駐車スペース情報と、店舗情報記憶部１２ｂに記憶されている当該店舗の距離情報とに基づいて、その時点で当該店舗に近い空き駐車スペースの情報を取得する（ステップＳ１２）。そして、タイマー部１１ｄに第１の一定時間であるＴ１をセットして（ステップＳ１３）、第１の一定時間Ｔ１の計測を開始するとともに、取得したこれらの情報、すなわち店舗の広告情報とその店舗に近い空き駐車スペースの情報とを電子看板２２に表示する（ステップＳ１４）。なお、電子看板２２に表示する店舗の広告情報とその店舗に近い空き駐車スペースの情報との表示形態については、後ほど詳細に説明する。
【００７０】
この後、第１の一定時間Ｔ１が経過したか否か、及び、入場検知部４からの検知信号の有無に基づいて駐車場エリアＰＥへの車の入場があったか否かを監視する（ステップＳ１５，ステップＳ１６）。
【００７１】
その結果、駐車場エリアＰＥへの車の新たな入場がなく、第１の一定時間Ｔ１が経過した場合（すなわち、ステップＳ１５でＹｅｓと判断された場合）、には、タイマー部１１ｄをリセットして（ステップＳ１７）、ステップＳ１１に戻り、予め設定されている店舗順に従って、店舗情報記憶部１２ｂから次の店舗の広告情報を取得し（ステップＳ１１）、次に、空き駐車スペース情報記憶部１２ａから取得した空き駐車スペース情報と、店舗情報記憶部１２ｂに記憶されている当該店舗の距離情報とに基づいて、その時点で当該店舗に近い空き駐車スペースの情報を取得する（ステップＳ１２）。そして、タイマー部１１ｄに第１の一定時間であるＴ１をセットして（ステップＳ１３）、第１の一定時間Ｔ１の計測を開始するとともに、取得したこれらの情報、すなわち店舗の広告とその店舗に近い空き駐車スペースの情報とを電子看板２２に表示する（ステップＳ１４）。
【００７２】
表示制御手段１１は、駐車場エリアＰＥに新たな車の入場がない限り（すなわち、ステップＳ１６でＹｅｓと判断されない限り）、ステップＳ１１〜ステップＳ１５，ステップＳ１７の処理を繰り返し、電子看板２２に、第１の一定時間Ｔ１の間隔で、予め設定されている店舗順に従って、各店舗の広告情報とその時点での近い空き駐車スペースの情報とを繰り返し表示することになる。
【００７３】
このように、電子看板２２に表示する空き駐車スペースの情報（駐車位置情報）を、予め設定された第１の一定時間Ｔ１の間隔で順次切り換えて表示することで、出店している全ての店舗の情報が均等に表示される。そのため、出入り口１０１〜１０３を通って駐車場エリアＰＥ内に車で入場してきた客は、各店舗の駐車位置情報が第１の一定時間Ｔ１の間隔で順次表示されているので、所望する店舗の空き駐車スペースの情報がいずれは表示され、その表示タイミングが合えば、所望の店舗に近い空き駐車スペースに、迷うことなくスムーズに行くことが可能となる。
【００７４】
一方、このような繰り返し表示を行っている過程において、入場検知部４から検知信号が入力されて駐車場エリアＰＥに新たな車の入場が確認されると（ステップＳ１６でＹｅｓと判断されると）、電子看板２２への駐車位置情報の表示を、それまでの一般店舗による順次表示から、予め設定されている優先店舗の駐車位置情報の表示に切り換える。
【００７５】
すなわち、予め設定されている優先店舗に従って、店舗情報記憶部１２ｂから優先店舗の広告情報を取得し（ステップＳ１８）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ１９）。そして、タイマー部１１ｄに第２の一定時間であるＴ２をセットして（ステップＳ２０）、第２の一定時間Ｔ２の計測を開始するとともに、取得したこれらの情報、すなわち店舗の広告情報とその店舗に近い空き駐車スペースの情報とを電子看板２２に表示する（ステップＳ２１）。
【００７６】
このように、駐車場エリアＰＥ内への車の入場を検知したときに、電子看板２２への表示を優先店舗の駐車位置情報に切り換えることで、優先店舗の情報をタイミングよく表示できるので、優先店舗の広告宣伝効果を高めることができる。また、優先店舗の駐車位置情報の表示時間（Ｔ２）を、一般店舗の駐車位置情報の表示時間（Ｔ１）より長くすることで、優先店舗の駐車位置情報が広告情報も含めて客の目に触れる時間が長くなるため、優先店舗の広告宣伝効果をより高めることができる。
【００７７】
この後、第２の一定時間Ｔ２が経過したか否かを判断し（ステップＳ２２）、経過していなければステップＳ２１に戻る。一方、第２の一定時間Ｔ２が経過した場合（ステップＳ２２でＹｅｓと判断された場合）には、タイマー部１１ｄをリセットして（ステップＳ２３）、ステップＳ１１に戻り、予め設定されている一般店舗の店舗順に従って、店舗情報記憶部１２ｂから次の店舗の広告情報を取得し（ステップＳ１１）、次に、空き駐車スペース情報記憶部１２ａから取得した空き駐車スペース情報と、店舗情報記憶部１２ｂに記憶されている当該店舗の距離情報とに基づいて、その時点で当該店舗に近い空き駐車スペースの情報を取得する（ステップＳ１２）。そして、タイマー部１１ｄに再び第１の一定時間であるＴ１をセットして（ステップＳ１３）、第１の一定時間Ｔ１の計測を開始するとともに、取得したこれらの情報、すなわち店舗の広告情報とその店舗に近い空き駐車スペースの情報とを電子看板２２に表示する（ステップＳ１４）。
【００７８】
このように、一般店舗による第１の一定時間Ｔ１での表示の繰り返しと、不定期に発生する優先店舗による第２の一定時間Ｔ２での表示とを連携させることで、電子看板２２に常に何処かの店舗の駐車位置情報を表示させておくことができる。これにより、各店舗の広告宣伝効果を期待することができる。
【００７９】
ここで、電子看板２２に表示する店舗の広告情報とその店舗に近い空き駐車スペースの情報との表示形態について具体的に説明する。
【００８０】
図５は、店舗の広告情報とその店舗に近い空き駐車スペースの情報とを電子看板２２に表示するときの表示形態の一例を示している。
【００８１】
図５に示す例では、店舗に関する情報の表示は、その上部に店舗の広告欄７１が設けられており、その下に駐車場エリアＰＥと店舗エリアＳＥのエリアマップが表示されている。そして、このエリアマップに、現在位置７２と、店舗に一番近い１つの空き駐車スペース１１０ａとが表示された構成となっている。すなわち、店舗に一番近い１つの空き駐車スペース１１０ａのみをエリアマップに表示することで、この表示を見た車に乗っている客は、その空き駐車スペース１１０ａまで、迷うことなくスムーズに行くことができる。
【００８２】
図５に示す表示形態では、空き駐車スペース１１０ａの表示は、エリアマップの中の該当する空き駐車スペース１１０ａの位置にマーキングを施すことで表示している。この場合のマーキングとは、その部分だけ他の部分と表示色を変更することである。例えば、駐車場エリアＰＥの各駐車スペースは無着色（すなわち、枠のみ）とし、該当する空き駐車スペース１１０ａのみを例えば赤色一色に塗りつぶす、もしくは、よく目立つように赤色で点滅させる、などの形態で表示する。このような表示形態とすれば、客にとっては、空き駐車スペースの位置がマップ上の一つのポイントとしてイメージ的に捉え易くなるため、その空き駐車スペース１１０ａまで迷うことなくスムーズに行くことができる。
【００８３】
図６は、店舗の広告とその店舗に近い空き駐車スペースの情報とを電子看板２２に表示するときの表示形態の他の例を示している。
【００８４】
図６に示す例では、エリアマップに、現在位置７２と、店舗に一番近い１つの空き駐車スペース１１０ａを含むその周辺にある１または複数の他の空き駐車スペース（この例では、１１０ｂと１１０ｃの２つの空き駐車スペース）も併せて表示する構成としている。すなわち、店舗に一番近い１つの空き駐車スペース１１０ａを含むその周辺にある１または複数の他の空き駐車スペース１１０ｂ，１１０ｃも併せて表示することで、例えば、一番近い空き駐車スペース１１０ａに別の車が止められた場合でも、その周辺の別の空き駐車スペース１１０ｂまたは１１０ｃに車を止めることができる。
【００８５】
図６に示す表示形態でも、空き駐車スペース１１０ａ〜１１０ｃの表示は、エリアマップの中の該当する空き駐車スペース１１０ａ〜１１０ｃの位置にマーキングを施すことで表示しているが、この場合には、店舗に一番近い空き駐車スペース１１０ａとその他の空き駐車スペース１１０ｂ，１１０ｃとで表示色を変更している。例えば、駐車場エリアＰＥの各駐車スペースは無着色（すなわち、枠のみ）とし、店舗に一番近い空き駐車スペース１１０ａを例えば赤色一色に塗りつぶし、他の２つの空き駐車スペース１１０ｂ，１１０ｃを例えば緑色一色に塗りつぶす、もしくは、よく目立つように店舗に一番近い空き駐車スペース１１０ａのみを赤色で点滅させる、などの形態で表示する。このような表示形態とすれば、例えば店舗に一番近い１つの空き駐車スペース１１０ａと、その他の空き駐車スペース１１０ｂ，１１０ｃとを明確に区別して認識することができるため、店舗に近い空き駐車スペースが複数表示されていても、一番近い空き駐車スペースに、迷うことなくスムーズに行くことができる。
【００８６】
なお、店舗に近い空き駐車スペースを複数表示する場合の表示方法としては、上記例のように、店舗に一番近い１つの空き駐車スペース１１０ａを含めて全部で３箇所までとする表示個数の上限を設定しておく方法と、店舗に一番近い１つの空き駐車スペース１１０ａを中心として一定の距離の範囲内にある全ての空き駐車スペースを表示するという、表示範囲を設定しておく方法とがある。
【００８７】
＜実施形態２＞
図７は、本発明の駐車場管理システムの実施形態２に係る全体構成図であり、図８は、この駐車場管理システムが適用される大型施設の概略構成を示す説明図である。
【００８８】
大規模商業施設では、集客を図るべく、例えば最初の２時間を無料とし、その後、１時間を経過するたびに駐車料金を課金していく、といったシステムをとっているところが多い。そのため、入場ゲートに発券装置を設置し、車で来た客は、入場ゲートで一旦停止し、発券ボタンを押すことで発券された駐車券を持って施設内に入場することになる。従って、実施形態２ではこの点に着目し、発券装置を兼ねた店舗選択手段を入場ゲートに設置し、車で来場した客が、入場ゲートで店舗選択手段から一つの店舗を選択することで、併せて駐車券の発券も行う構成としている。
【００８９】
従って、図８に示す大型施設の全体構成は、図２に示す大型施設の全体構成とほぼ同じであるが、実施形態２では、３箇所の出入り口１０１〜１０３にそれぞれ入場ゲート１０４〜１０６が設けられており、この入場ゲート１０４〜１０６の横に、駐車券の発券装置を兼ねた店舗選択手段５がそれぞれ設置された構成となっている。
【００９０】
実施形態２の駐車場管理システムは、このような大型施設１００において、車で来場した客に対し所望の店舗２００に近い空き駐車スペース１１０の情報を提供するシステムであって、システム全体を管理する管理サーバ１と、駐車場エリアＰＥに設置された表示手段２と、駐車場エリアＰＥ内の空き駐車スペース１１０，１１０・・・を検知する空検知手段３と、駐車場エリアＰＥの各出入り口１０１〜１０３の入場ゲート１０４〜１０６の横にそれぞれ設置された店舗選択手段５とを備えて構成されている。ここで、管理サーバ１、表示手段２、空検知手段３の構成は実施形態１と同様である。
【００９１】
図９は、入場ゲート１０４〜１０６の横に設置された店舗選択手段５の構成例を示している。
【００９２】
この店舗選択手段５は、ゲート横に設置された箱型筐体５１の正面上部であって、運転手の目線の高さ位置に、表面にタッチパネルを備えた大画面の表示パネル５２が設けられており、この表示パネル５２の下に、駐車券Ｋを発券する発券窓口５３と、発券専用の発券ボタン５５とが設けられている。
【００９３】
表示パネル５２には、この施設に入店している全店舗の一覧が碁盤目状に区切られた各枡目の中に表示されており、各枡目がそれぞれ店舗ボタンとなっている。この例では、横に１０店、縦に６店の合計６０店舗の店舗ボタンが一度に表示可能となっており、この一覧ボタン画面の下には、その表示画面を切り換えるための「戻る」ボタンと、「次へ」ボタンとが表示されている。
【００９４】
従って、車で来場した客は、入場ゲートのところで車を止めると、表示パネル５２に表示されている店舗ボタン一覧から、所望の（目的とする）店舗を一つ選んでタッチする。これにより、その選択された店舗の情報が管理サーバ１の表示制御手段１１に送られると同時に、発券窓口５３から駐車券Ｋが発券されるので、車で来場した客は、その駐車券Ｋを取って場内に入場することになる。すなわち、実施形態２では、目的とする店舗を一つ選んでタッチする操作が、発券専用の発券ボタン５５を押す操作と同等に扱われるようになっている。これにより、車で来場した客は、従来の発券装置の発券操作と何ら変わらない操作で、駐車券の発券に加え、所望する店舗に近い空き駐車スペースの情報も入手することが可能となる。
【００９５】
この場合、表示パネル５２に目的とする店舗が表示されていない場合には、「次へ」ボタンをタッチすることで、次の店舗ボタン一覧が表示されるので、車で来場した客は、目的とする店舗ボタンが表示されるまで、「次へ」ボタンをタッチすればよい。また、特に目的とする店舗が無い場合には、発券専用の発券ボタン５５を押せばよい。
【００９６】
上記構成において、実施形態２の基本の表示制御動作として、表示制御手段１１は、空検知手段３の各検知センサ３２により検知され、空き判定部３１によって判定された空き駐車スペースの情報と、ＨＤＤ１２の店舗情報記憶部１２ｂに記憶されている図３に示す各店舗の距離情報とに基づいて、店舗に近い空き駐車スペースの情報を駐車位置情報として電子看板２２に表示するようになっており、このように電子看板２２に表示する駐車位置情報を、予め設定された第１の一定時間Ｔ１（例えば、５秒等）の間隔で順次切り換えて表示する構成としている。このような基本の表示制御動作は、実施形態１で説明した図４のステップＳ１１〜ステップＳ１５、ステップＳ１７のループ処理と同じである。
【００９７】
このように、電子看板２２に表示する空き駐車スペースの情報を、予め設定された第１の一定時間Ｔ１の間隔で順次切り換えて表示することで、出店している全ての店舗の情報を均等に表示することができる。また、駐車場エリアＰＥ内を空き駐車スペースを探して走行中の車に乗っている客にとっても、各店舗の駐車位置情報が第１の一定時間Ｔ１の間隔で順次表示されているので、所望する店舗の空き駐車スペースの情報がいずれは表示され、その表示タイミングが合えば、所望の店舗に近い空き駐車スペースに行くことが可能となる。
【００９８】
一方、実施形態２に特有の表示制御動作として、表示制御手段１１は、店舗選択手段５から所望の店舗が選択されると、電子看板２２への駐車位置情報の表示を、上記した第１の一定時間Ｔ１の間隔での各店舗の駐車位置情報の表示から、選択された店舗の駐車位置情報の表示に切り換える構成としている。
【００９９】
すなわち、表示制御手段１１は、店舗選択手段５から所望の店舗が選択されると、空検知手段３の各検知センサ３２により検知され、空き判定部３１によって判定された空き駐車スペースの情報と、ＨＤＤ１２の店舗情報記憶部１２ｂに記憶されている選択された店舗の距離情報（図３参照）とに基づいて、選択された店舗に近い空き駐車スペースの情報を、第１の一定時間Ｔ１よりも長い第２の一定時間Ｔ２の間、駐車位置情報として電子看板２２に表示するようになっている。
【０１００】
具体的に説明すると、例えば、図２に示す駐車ＩＤ（Ｐ０００１）から駐車ＩＤ（Ｐ００２１）までが全て駐車、駐車ＩＤ（Ｐ００２２）が空き駐車スペース、駐車ＩＤ（Ｐ００２３）から駐車ＩＤ（Ｐ００４０）までが全て駐車という状態であったとすると、ＨＤＤ１２の空き駐車スペース記憶部１２ａには、駐車ＩＤが（Ｐ０００１）から（Ｐ００４０）までを見た場合、駐車ＩＤ（Ｐ００２２）のみが空き駐車スペースとして記憶されていることになる。この状態において、車で来場した客が、入場ゲートに設置された店舗選択手段５の表示パネル５２に表示された店舗ボタン一覧から、店舗ＩＤ（Ｓ０００１）の店舗を選択してタッチし、駐車券の発券を受けて入場すると、店舗選択手段５は、店舗ＩＤ（Ｓ０００１）の情報を表示制御手段１１に送信する。表示制御手段１１は、店舗ＩＤ（Ｓ０００１）の情報を受信すると、この店舗ＩＤ（Ｓ０００１）に一番近い空き駐車スペースを検索する。すなわち、図３から店舗ＩＤ（Ｓ０００１）に１番目近い駐車スペースである駐車ＩＤ（Ｐ００２１）を取得し、この駐車ＩＤ（Ｐ００２１）が空き駐車スペース記憶部１２ａに記憶されているか否かを判断する。この場合、駐車ＩＤ（Ｐ００２１）は空き駐車スペース記憶部１２ａに記憶されていないので、表示制御手段１１は、次に、図３から店舗ＩＤ（Ｓ０００１）に２番目近い駐車スペースである駐車ＩＤ（Ｐ００１１）を取得し、この駐車ＩＤ（Ｐ００１１）が空き駐車スペース記憶部１２ａに記憶されているか否かを判断する。この場合も、駐車ＩＤ（Ｐ００１１）は空き駐車スペース記憶部１２ａに記憶されていないので、表示制御手段１１は、次に、図３から店舗ＩＤ（Ｓ０００１）に３番目近い駐車スペースである駐車ＩＤ（Ｐ００２２）を取得し、この駐車ＩＤ（Ｐ００２２）が空き駐車スペース記憶部１２ａに記憶されているか否かを判断する。その結果、この場合は、駐車ＩＤ（Ｐ００２２）が空き駐車スペース記憶部１２ａに記憶されているので、この駐車ＩＤ（Ｐ００２２）の空き駐車スペース１１０を、現時点で選択された店舗ＩＤ（Ｓ０００１）の店舗に一番近い空き駐車スペースであると特定し、この特定した駐車ＩＤ（Ｐ００２２）の空き駐車スペース１１０を、選択された店舗に一番近い空き駐車スペースとして電子看板２２に表示する。
【０１０１】
このような構成とすれば、入場ゲートを通過した車の近傍に設置されている電子看板２２に、所望の店舗（すなわち、目的の店舗）に近い空き駐車スペースの情報が表示されるので、この表示を見た車に乗っている客は、その空き駐車スペースまで、迷うことなくスムーズに車を移動して駐車することができる。すなわち、所望の店舗（目的の店舗）に近い空き駐車スペースに駐車することができる。従って、車に乗っている客は、所望の店舗に近い空き駐車スペースを探して駐車場エリア内を探し回るといった、無駄な時間を省くことができる。また、システム管理者側にとっても、駐車場エリア内での車のスムーズな誘導が可能となり、効率的な駐車場管理が可能となる。
【０１０２】
また、実施形態２では、選択された店舗の駐車位置情報の表示を終了すると、第１の一定時間Ｔ１での一般店舗の駐車位置情報の表示制御に戻す構成としている。
【０１０３】
このような構成とすれば、一般店舗による第１の一定時間Ｔ１での表示の繰り返しと、不定期に発生する選択された店舗による第２の一定時間Ｔ２での表示とを連携させることで、電子看板２２に常に何処かの店舗の駐車位置情報を表示させておくことができる。これにより、各店舗の広告宣伝効果を期待することができる。
【０１０４】
次に、上記で説明した実施形態２に係る駐車場管理システムによる空き駐車スペースの表示動作について、図１０に示すフローチャートを参照して具体的に説明する。
【０１０５】
表示制御手段１１は、駐車場エリアＰＥへの新たな車の入場がない場合には、予め設定されている店舗順に従って、店舗情報記憶部１２ｂから任意の店舗の広告情報を取得し（ステップＳ３１）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ３２）。そして、タイマー部１１ｄに第１の一定時間であるＴ１をセットして（ステップＳ３３）、第１の一定時間Ｔ１の計測を開始するとともに、取得したこれらの情報、すなわち店舗の広告情報とその店舗に近い空き駐車スペースの情報とを電子看板２２に表示する（ステップＳ３４）。なお、電子看板２２に表示する店舗の広告情報とその店舗に近い空き駐車スペースの情報との表示形態については、すでに実施形態１で説明した通りである。
【０１０６】
この後、第１の一定時間Ｔ１が経過したか否かを監視し（ステップＳ３５）、第１の一定時間Ｔ１が経過していなければ、次に、店舗選択手段５から任意の店舗が選択されたことを示す選択情報が入力されたか否かを監視する（ステップＳ３６）。
【０１０７】
その結果、店舗選択手段５にて目的の店舗が選択されないまま、第１の一定時間Ｔ１が経過した場合（すなわち、ステップＳ３５でＹｅｓと判断された場合）、には、タイマー部１１ｄをリセットして（ステップＳ３７）、ステップＳ３１に戻り、予め設定されている店舗順に従って、店舗情報記憶部１２ｂから次の店舗の広告情報を取得し（ステップＳ３１）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ３２）。そして、タイマー部１１ｄに第１の一定時間であるＴ１をセットして（ステップＳ３３）、第１の一定時間Ｔ１の計測を開始するとともに、取得したこれらの情報、すなわち店舗の広告とその店舗に近い空き駐車スペースの情報とを電子看板２２に表示する（ステップＳ３４）。
【０１０８】
表示制御手段１１は、店舗選択手段５にて目的の店舗が選択されない限り（すなわち、ステップＳ３６でＹｅｓと判断されない限り）、ステップＳ３１〜ステップＳ３７の処理を繰り返し、電子看板２２に、第１の一定時間Ｔ１の間隔で、予め設定されている店舗順に従って、各店舗の広告情報とその時点での近い空き駐車スペースの情報とを繰り返し表示することになる。
【０１０９】
一方、このような繰り返し表示を行っている過程において、施設に来場した車が入場ゲートで一旦停止し、車に乗っている客が店舗選択手段５の表示パネル５２に表示されている店舗ボタン一覧の中のいずれかの店舗ボタンにタッチすることによって、任意の店舗が選択されると（ステップＳ３６でＹｅｓと判断されると）、表示制御手段１１は、電子看板２２への駐車位置情報の表示を、それまでの一般店舗による順次表示から、選択された店舗の駐車位置情報の表示に切り換える。
【０１１０】
すなわち、表示制御手段１１は、選択された店舗の情報に基づいて、店舗情報記憶部１２ｂから選択された店舗の広告情報を取得し（ステップＳ３８）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ３９）。そして、発券装置を兼ねる店舗選択手段５から駐車券Ｋを発券する（ステップＳ４０）。この際、実施形態２では、この駐車券Ｋの裏側に、選択された店舗の広告と、その店舗に近い空き駐車スペースの場所とを図等で印刷してもよい。このとき、その空き駐車スペースの駐車番号なども合わせて印刷してもよい。このように、駐車券Ｋの裏側に駐車位置情報を印刷しておくと、電子看板２２の見えないところでも、空き駐車スペースの位置を確認できるので、車で来場した客にとっては非常に便利である。
【０１１１】
この後、表示制御手段１１は、タイマー部１１ｄに第２の一定時間であるＴ２をセットして（ステップＳ４１）、第２の一定時間Ｔ２の計測を開始するとともに、取得したこれらの情報、すなわち店舗の広告情報とその店舗に近い空き駐車スペースの情報とを電子看板２２に表示する（ステップＳ４２）。
【０１１２】
これにより、入場ゲートを車で通過した客は、電子看板２２に所望の店舗（すなわち、目的の店舗）に近い空き駐車スペースの情報が表示されるので、その空き駐車スペースまで、迷うことなくスムーズに車を移動して駐車することができる。
【０１１３】
この後、表示制御手段１１は、第２の一定時間Ｔ２が経過したか否かを判断し（ステップＳ４３）、経過していなければステップＳ４２に戻る。一方、第２の一定時間Ｔ２が経過した場合（ステップＳ４３でＹｅｓと判断された場合）には、タイマー部１１ｄをリセットして（ステップＳ４４）、ステップＳ３１に戻り、予め設定されている一般店舗の店舗順に従って、店舗情報記憶部１２ｂから次の店舗の広告情報を取得し（ステップＳ３１）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ３２）。そして、タイマー部１１ｄに再び第１の一定時間であるＴ１をセットして（ステップＳ３３）、第１の一定時間Ｔ１の計測を開始するとともに、取得したこれらの情報、すなわち店舗の広告情報とその店舗に近い空き駐車スペースの情報とを電子看板２２に表示する（ステップＳ３４）。
【０１１４】
実施形態２によれば、一般店舗による第１の一定時間Ｔ１での表示の繰り返しと、不定期に発生する選択された店舗による第２の一定時間Ｔ２での表示とを連携させることで、電子看板２２に常に何処かの店舗の駐車位置情報と広告情報とを表示させておくことができる。これにより、各店舗の広告宣伝効果を期待することができる。
【０１１５】
なお、空き駐車スペースの表示形態については、上記した実施形態１の場合と同様であるので、ここでは空き駐車スペースの表示形態の説明を省略する。
【０１１６】
＜実施形態３＞
実施形態３は、実施形態２に実施形態１を組み合わせた実施形態である。
【０１１７】
すなわち、実施形態２では、図１０のステップＳ３６でＮｏと判断された場合、すなわち、店舗選択手段５にて目的の店舗が選択されず、発券専用の発券ボタン５５が押された場合には、ステップＳ３４に戻る構成としている。すなわち、電子看板２２の表示内容は、それまでの一般店舗の駐車位置情報を第１の一定時間Ｔ１の間隔で順次繰り返して表示する制御を維持する構成としている。
【０１１８】
これに対し、実施形態３では、店舗選択手段５にて目的の店舗が選択されず、発券ボタン５５が押された場合に、予め設定されている優先店舗の駐車位置情報の表示に切り換える構成としたものである。
【０１１９】
図１１は、実施形態３に係る駐車場管理システムによる空き駐車スペースの表示動作を示すフローチャートである。以下、図１１に示すフローチャートを参照して、実施形態３に係る空き駐車スペースの表示動作について説明する。ただし、図１１では、図１０に示すフローチャートと同じ処理ステップに同じステップ番号を付すことにより、この部分の説明を省略する。
【０１２０】
すなわち、表示制御手段１１は、ステップＳ３６においてＮｏと判断された場合（すなわち、発券ボタン５５が押された場合）には、電子看板２２への駐車位置情報の表示を、それまでの一般店舗による順次表示から、予め設定されている優先店舗の駐車位置情報の表示に切り換える。
【０１２１】
すなわち、予め設定されている優先店舗に従って、店舗情報記憶部１２ｂから優先店舗の広告情報を取得し（ステップＳ４５）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ４６）。そして、発券装置を兼ねる店舗選択手段５から駐車券Ｋを発券する（ステップＳ４７）。
【０１２２】
この後、タイマー部１１ｄに第２の一定時間であるＴ２をセットして（ステップＳ４１）、第２の一定時間Ｔ２の計測を開始するとともに、取得したこれらの情報、すなわち優先店舗の広告情報とその店舗に近い空き駐車スペースの情報とを電子看板２２に表示する（ステップＳ４２）。
【０１２３】
このように、店舗選択手段５にて発券ボタン５５が押されたときに、電子看板２２への表示を優先店舗の駐車位置情報に切り換えることで、優先店舗の情報をタイミングよく表示できるため、優先店舗の広告宣伝効果を高めることができる。また、優先店舗の駐車位置情報の表示時間（Ｔ２）を、一般店舗の駐車位置情報の表示時間（Ｔ１）より長くすることで、優先店舗の駐車位置情報や広告情報が客の目に触れる時間が長くなり、優先店舗の広告宣伝効果をより高めることができる。
【０１２４】
この後、第２の一定時間Ｔ２が経過したか否かを判断し（ステップＳ４３）、第２の一定時間Ｔ２が経過した場合（ステップＳ４３でＹｅｓと判断された場合）には、タイマー部１１ｄをリセットして（ステップＳ４４）、ステップＳ３１に戻り、予め設定されている一般店舗の店舗順に従って、店舗情報記憶部１２ｂから次の店舗の広告情報を取得し（ステップＳ３１）、次に、空き駐車スペース情報記憶部１２ａから取得した空き駐車スペース情報と、店舗情報記憶部１２ｂに記憶されている当該店舗の距離情報とに基づいて、当該店舗に近い空き駐車スペースの情報を取得する（ステップＳ３２）。そして、タイマー部１１ｄに再び第１の一定時間であるＴ１をセットして（ステップＳ３３）、第１の一定時間Ｔ１の計測を開始するとともに、取得したこれらの情報、すなわち店舗の広告とその店舗に近い空き駐車スペースの情報とを電子看板２２に表示する（ステップＳ３４）。
【０１２５】
なお、実施形態２，３では、大型施設１００の出入り口１０１〜１０３に入場ゲート１０４〜１０６が設置されていることを前提として、店舗選択手段５をこの入場ゲート１０４〜１０６に併設しているが、入場ゲート１０４〜１０６を設置していない施設（すなわち、駐車時間に制限を設けていない例えば郊外型の施設）では、出入口１０１〜１０３に発券装置を兼用しない単独の店舗選択手段５をそれぞれ設置した構成としてもよい。この場合には、店舗選択手段５の前で車が必ず一旦停止するとは限らないので、実施形態１と同様、駐車場エリアＰＥの各出入り口１０１〜１０３に、駐車場エリアＰＥ内への入場を検知する入場検知部４を設置し、店舗選択手段５の前で一旦停止せずに入場する車については、この入場検知部４で検知するようにしてもよい。この場合、実施形態３の優先店舗の表示は、発券ボタン５５を押した場合の他、入場検知部４で車の入場を検知した場合も含まれることになる。
【０１２６】
また、実施形態２，３では、店舗選択手段５の表示パネル５２に店舗ボタン一覧を常に表示しておく構成として説明しているが、入場ゲートに車が来たことを検知したときに、表示パネル５２に店舗ボタン一覧をその都度表示するように構成してもよい。
【符号の説明】
【０１２７】
１  管理サーバ
２  表示手段
３  空検知手段
４  入場検知部
５  店舗選択手段
１１  表示制御手段
１１ａ  ＣＰＵ
１１ｂ  ＲＯＭ
１１ｃ  ＲＡＭ
１１ｄ  タイマー部
１２  ＨＤＤ
１２ａ  空き駐車スペース情報記憶部
１２ｂ  店舗情報記憶部
２１  表示制御部
２２  電子看板
３１  空き判定部
３２  検知センサ
５１  箱型筐体
５２  表示パネル
５３  発券窓口
５５  発券ボタン
７１  広告欄
７２  現在位置
１００  大型施設
１０１〜１０３  出入り口
１０４〜１０６  入場ゲート
１１０  駐車スペース
２００  店舗
２０１〜２０５  通路
Ｋ  駐車券
ＰＥ  駐車場エリア
ＳＥ  店舗エリア
【図１】
2011203782.tif 000003
【図２】
2011203782.tif 000004
【図３】
2011203782.tif 000005
【図４】
2011203782.tif 000006
【図５】
2011203782.tif 000007
【図６】
2011203782.tif 000008
【図７】
2011203782.tif 000009
【図８】
2011203782.tif 000010
【図９】
2011203782.tif 000011
【図１０】
2011203782.tif 000012
【図１１】
2011203782.tif 000013